(57)【要約】【課題】  本発明は、レバー部材の軸部を強度アップできると共に、リフロー半田時等で高熱が加わったとしてもレバーを確実に初期状態に復帰させることができるスイッチ装置を提供すること。【解決手段】  本発明のスイッチ装置のコイルバネからなるコイルバネ４は、一端４ａが共通接点３に弾接すると共に、他端４ｂが可動接点６に弾接して、共通接点３と可動接点６とが常時電気的に導通しており、レバー部材７は、ケース１に回動可能に支持され、レバー部材７を回動操作することで、スライダー５がコイルバネ４の付勢力に抗して他方側にスライドして固定接点２と可動接点６とが接触し、固定接点２と共通接点３とが、コイルバネ４および可動接点６を介して電気的に導通するようになっている。【選択図】        図１
2006318749.tif 000002
【特許請求の範囲】
【請求項１】
内部に収納部が形成されたケースと、前記収納部内に配設されて互いに絶縁された共通接点と固定接点と、可動接点を前記固定接点に対して接離可能に保持したスライダーと、このスライダーをスライド操作可能なレバー部材と、前記スライダーを一方側に弾性付勢する導電性を有するコイルバネとを備え、
前記コイルバネは、一端が前記共通接点に弾接すると共に、他端が前記可動接点に弾接して、前記共通接点と前記可動接点とが常時電気的に導通しており、
前記レバー部材は、前記ケースに回動可能に支持され、前記レバー部材を回動操作することで、前記スライダーが前記コイルバネの付勢力に抗して他方側にスライドして前記固定接点と前記可動接点とが接触し、前記固定接点と前記共通接点とが、前記コイルバネおよび前記可動接点を介して電気的に導通することを特徴とするスイッチ装置。
【請求項２】
前記可動接点は、前記固定接点に接離する一端部と前記コイルバネが弾接する他端部とが前記スライダーから露出して、前記スライダーに一部が埋設保持されていることを特徴とする請求項１記載のスイッチ装置。
【請求項３】
前記収納部は、前記固定接点を収納した第１収納部と前記コイルバネを収納した第２収納部とを有し、前記第２収納部には、前記コイルバネを収納してガイドする一対のガイド壁が形成され、前記スライダーは、前記ガイド壁上をスライド可能になっていることを特徴とする請求項２記載のスイッチ装置。
【請求項４】
前記レバー部材には、前記ケースに回動可能に支持する回動基部が形成され、前記回動基部には、前記一方側に弾性付勢された前記スライダーが弾接するスライダー弾接面と、前記スライダーを前記他方側に押圧してスライド操作可能なスライダー押圧部とが形成されていることを特徴とする請求項１ないし３のいずれかに記載のスイッチ装置。
【請求項５】
前記ケースには、前記レバー部材の前記回動基部を回動可能に支持するレバー支持部が形成され、前記回動基部には、この回動基部の回動中心から所定の半径寸法でアール状の摺動面が形成されると共に、前記回動中心から突出して前記ケースに回動可能に支持可能な軸部とが形成され、
前記レバー部材を回動操作すると、前記回動基部は、前記軸部を支点として回動して、前記摺動面が前記レバー支持部を摺動して、前記スライダー押圧部が前記スライダーを前記他方向に押圧することを特徴とする請求項４記載のスイッチ装置。
【請求項６】
前記レバー支持部は、コーナ部が面取りされて面取り部が形成され、前記摺動面は、前記面取り部上を摺動するようになっていることを特徴とする請求項５記載のスイッチ装置。
【請求項７】
前記軸部は、前記ケースに形成したレバー支持溝に回動可能に支持され、前記回動中心が前記スライダー弾接面側に偏心していることを特徴とする請求項５、または６記載のスイッチ装置。
【請求項８】
前記レバー部材が所定角度範囲を回動することで、前記可動接点が前記固定接点に接離可能に前記スライダーがスライド可能になっており、
前記軸部には、前記レバー支持溝内を前記所定角度範囲で回動可能な形状の補強部が形成されていることを特徴とする請求項５乃至７のいずれかに記載のスイッチ装置。
【請求項９】
前記軸部には、前記スライダー弾接面と平行に切り欠きして平坦面が形成され、この平坦面によって、前記回動中心が前記スライダー弾性面側に偏心していることを特徴とする請求項６乃至８のいずれかに記載のスイッチ装置。
【発明の詳細な説明】
【技術分野】
【０００１】
本発明は、スイッチ装置に係わり、例えばＣＤプレイヤーの蓋の開閉の検出等、各種の電子機器に使用可能なスイッチ装置に関する。
【背景技術】
【０００２】
従来のスイッチ装置を特許文献１で説明すると、従来のスイッチ装置３０は、図図１１に示すように、ケース３１の開口部３１ａが形成され、レバー部材３２は、軸部３２ａがケース３１の回転保持部３１ｂに回動可能に保持されている。
前記レバー部材３２の駆動部３２ｂは、ケース３１ないに収納され、操作部３２ｃが左斜め上方に突出している。また、レバー部材３２の軸部３２ａは、駆動部３２ｂまでの距離をかせぐと共に、図１２に示すスイッチ装置３０の厚さ寸法を薄くするために、回動可能な範囲で細径に形成している。
【０００３】
そして、ケース３１の開口部３１ａと対向するケース３１の右内側壁には固定接点３３が、これと隣接する上内側壁には共通接点１４がそれぞれ埋設されると共に、共通接点３４に対向して所定の隙間を有して支持部３１ｃが形成されている。また、板バネを略Ｕ字状に形成した可動接点３５がケース３１内に収納され、中間の折曲部３５ａの一端から演出した第１アーム部３５ｂの先端には、曲げ部３５ｃを介して接続部３５ｄと当接部１５ｅを有する固定部３５ｆが設けられている。前記固定部３５ｆは、接続部３５ｄが共通接点３４に、当接部３５ｅがケース３１の支持部３１ｃにそれぞれ断折して、共通接点３４と支持部３１ｃの間に圧入されている。
【０００４】
前記可動接点３５の折曲部３５ａの他端から延出して第２アーム部３５ｇ先端の接点部３５ｈがケース３１の右内側面に弾折すると共に、これらを収納したケース３１の前面をカバー３６が覆っている。
そして、レバー部材３２の軸部３２ａを固定接点３３を埋設した右内側壁と平行な上下方向に回動可能に保持されている。
【０００５】
このような従来のスイッチ装置３０の操作は、図１２に示す初期状態から、レバー部材３２の操作部３２ｃを下方に回動操作すると、図１３のレバー１２が軸部１２ａを支点として駆動部３２ｂが右方向に回動して、可動接点３５の曲げ部３５ｃを支点として、撓みながら操作部３２ｃの操作方向に対して直交する方向に回転する。このことで、第２アーム部３５ｇ先端の接点部３５ｈがケース３１の右内側壁を上方向に弾接摺動して、固定接点１３に接触し、可動接点１５を介して固定接点１３と共通接点とが電気的に導通する。
【０００６】
次に、レバー部材３２の操作部３２ｃに加えていた操作力を解除すると、可動接点３５の実施のバネ力で接点部３５ｈがケース３１の右内側壁を下方向に弾接摺動して固定接点１３から離れると共に、駆動部３２ｂが折曲部１５ａに押圧されてレバー部材３２が回動し、操作部３２ｃが図１２の初期状態に復帰するようになっている。
【特許文献１】特開２００１−１８４９９４号公報
【発明の開示】
【発明が解決しようとする課題】
【０００７】
しかし、前述したような従来のスイッチ装置３０は、回転保持部３１ｂに回動可能に保持しているレバー部材３２の軸部３２ａが、回動可能な範囲で細径に形成されているために、レバー部材３２の操作部３２ｃに衝撃等が加わると、細径の軸部３２ａが折れたり、あるいは曲がったりしてレバー部材３２が操作できなくなるおそれがあった。
また、板バネからなる可動接点３５のバネ力で、レバー部材３２を初期状態に復帰させるようにしていたが、スイッチ装置３０をリフロー半田等でプリント基板等に取り付けるときの高温によって、可動接点３５が応力緩和し、接点部３５ｈの固定接点３３への接触力が低下して、接触が不安定になるおそれがあった。
【０００８】
また、同様に可動接点３５の応力緩和で、レバー部材３２が図１２に示すような初期状態に復帰しなくなるおそれがあった。
本発明は、前述したような課題を解決するためになされたもので、レバー部材の軸部を強度アップできると共に、リフロー半田時等で高熱が加わったとしてもレバーを確実に初期状態に復帰させることができるスイッチ装置を提供することを目的とする。
【課題を解決するための手段】
【０００９】
前記課題を解決するための第１の手段として本発明のスイッチ装置は、内部に収納部が形成されたケースと、前記収納部内に配設されて互いに絶縁された共通接点と固定接点と、可動接点を前記固定接点に対して接離可能に保持したスライダーと、このスライダーをスライド操作可能なレバー部材と、前記スライダーを一方側に弾性付勢する導電性を有するコイルバネとを備え、
前記コイルバネは、一端が前記共通接点に弾接すると共に、他端が前記可動接点に弾接して、前記共通接点と前記可動接点とが常時電気的に導通しており、
前記レバー部材は、前記ケースに回動可能に支持され、前記レバー部材を回動操作することで、前記スライダーが前記コイルバネの付勢力に抗して他方側にスライドして前記固定接点と前記可動接点とが接触し、前記固定接点と前記共通接点とが、前記コイルバネおよび前記可動接点を介して電気的に導通することを特徴とする。
また、前記課題を解決するための第２の手段として本発明のスイッチ装置は、前記可動接点は、前記固定接点に接離する一端部と前記コイルバネが弾接する他端部とが前記スライダーから露出して、前記スライダーに一部が埋設保持されていることを特徴とする。
【００１０】
また、前記課題を解決するための第３の手段として本発明のスイッチ装置は、前記収納部は、前記固定接点を収納した第１収納部と前記コイルバネを収納した第２収納部とを有し、前記第２収納部には、前記コイルバネを収納してガイドする一対のガイド壁が形成され、前記スライダーは、前記ガイド壁上をスライド可能になっていることを特徴とする。
また、前記課題を解決するための第４の手段として本発明のスイッチ装置は、前記レバー部材には、前記ケースに回動可能に支持する回動基部が形成され、前記回動基部には、前記一方側に弾性付勢された前記スライダーが弾接するスライダー弾接面と、前記スライダーを前記他方側に押圧してスライド操作可能なスライダー押圧部とが形成されていることを特徴とする。
また、前記課題を解決するための第５の手段として本発明のスイッチ装置は、前記ケースには、前記レバー部材の前記回動基部を回動可能に支持するレバー支持部が形成され、前記回動基部には、この回動基部の回動中心から所定の半径寸法でアール状の摺動面が形成されると共に、前記回動中心から突出して前記ケースに回動可能に支持可能な軸部とが形成され、
前記レバー部材を回動操作すると、前記回動基部は、前記軸部を支点として回動して、前記摺動面が前記レバー支持部を摺動して、前記スライダー押圧部が前記スライダーを前記他方向に押圧することを特徴とする。
【００１１】
また、前記課題を解決するための第６の手段として本発明のスイッチ装置は、前記レバー支持部は、コーナ部が面取りされて面取り部が形成され、前記摺動面は、前記面取り部上を摺動するようになっていることを特徴とする。
また、前記課題を解決するための第７の手段として本発明のスイッチ装置は、前記軸部は、前記ケースに形成したレバー支持溝に回動可能に支持され、前記回動中心が前記スライダー弾接面側に偏心していることを特徴とする。
【００１２】
また、前記課題を解決するための第８の手段として本発明のスイッチ装置は、前記レバー部材が所定角度範囲を回動することで、前記可動接点が前記固定接点に接離可能に前記スライダーがスライド可能になっており、
前記軸部には、前記レバー支持溝内を前記所定角度範囲で回動可能な形状の補強部が形成されていることを特徴とする。
また、前記課題を解決するための第９の手段として本発明のスイッチ装置は、前記軸部には、前記スライダー弾接面と平行に切り欠きして平坦面が形成され、この平坦面によって、前記回動中心が前記スライダー弾性面側に偏心していることを特徴とする。
【発明の効果】
【００１３】
本発明のスイッチ装置のコイルバネは、一端が共通接点に弾接すると共に、他端が可動接点に弾接して、共通接点と可動接点とが常時電気的に導通しており、
レバー部材は、ケースに回動可能に支持され、レバー部材を回動操作することで、スライダーがコイルバネの付勢力に抗して他方側にスライドして固定接点と可動接点とが接触し、固定接点と共通接点とが、コイルバネおよび可動接点を介して電気的に導通するので、レバー部材の小さな回動操作力で、固定接点と共通接点との間のスイッチ回路を確実に切り換えることができる。
また、可動接点に弾性付勢する部材が耐熱性に優れたピアノ線等のコイルバネなので、リフロー半田等の高熱が加わったとしても、コイルバネが応力緩和しないので、可動接点を保持したスライダーを確実にスライド移動させることができる。そのために、固定接点と可動接点とを確実に接触させることができる。
また、可動接点は、固定接点に接離する一端部とコイルバネが弾接する他端部とがスライダーから露出して、スライダーに一部が埋設保持されているので、可動接点とスライダーとが一体化されて、組立効率を向上することができる。
【００１４】
また、収納部は、固定接点を収納した第１収納部とコイルバネを収納した第２収納部とを有し、第２収納部には、コイルバネを収納してガイドする一対のガイド壁が形成され、スライダーは、ガイド壁上をスライド可能になっているので、スライダーを確実にスライドさせて、可動接点を確実に固定接点に接触させて導通させることができる。
また、レバー部材には、ケースに回動可能に支持する回動基部が形成され、回動基部には、一方側に弾性付勢されたスライダーが弾接するスライダー弾接面と、スライダーを他方側に押圧してスライド操作可能なスライダー押圧部とが形成されているので、レバー部材にスライダー回動操作でスライダーをコイルバネの付勢力に抗して確実にスライド操作できる。
【００１５】
また、ケースには、レバー部材の回動基部を回動可能に支持するレバー支持部が形成され、回動基部には、この回動基部の回動中心から所定の半径寸法でアール状の摺動面が形成されると共に、回動中心から突出してケースに回動可能に支持可能な軸部とが形成され、
レバー部材を回動操作すると、回動基部は、軸部を支点として回動して、摺動面がレバー支持部を摺動して、スライダー押圧部がスライダーを他方向に押圧するので、小さな回動力でレバー部材を確実に回動させてスライダーをスライドさせることができる。
また、レバー支持部は、コーナ部が面取りされて面取り部が形成され、摺動面は、面取り部上を摺動するようになっているので、レバー部材の回動支点である軸部は、ケース側に形成した所定の幅寸法の支持溝で良く、ケースの加工性が良い。
【００１６】
また、軸部は、ケースに形成したレバー支持溝に回動可能に支持され、回動中心がスライダー弾接面側に偏心しているので、軸部の断面積を大きくして軸部の強度をアップできる。
また、レバー部材が所定角度範囲を回動することで、可動接点が固定接点に接離可能にスライダーがスライド可能になっており、
軸部には、レバー支持溝内を所定角度範囲で回動可能な形状の補強部が形成されているので、補強部によって軸部の強度が補強されて、軸部の強度を更に向上できる。
また、軸部には、スライダー弾接面と平行に切り欠き形成して平坦面が形成され、この平坦面によって、回動中心がスライダー弾性面側に偏心しているので、スライダーのスライド移動量を大きくすることができる。
【発明を実施するための最良の形態】
【００１７】
以下に、本発明のスイッチ装置の実施の形態を図面に基づいて説明する。図１は本発明のスイッチ装置の分解斜視図であり、図２は本発明のスイッチ装置の斜視図であり、図３は図２からカバーを取り去った状態の斜視図であり、図４は本発明のスイッチ装置の要部断面図であり、図５はレバー部材の斜視図であり、図６は図５の側面図であり、図７〜図９はレバー部材の操作を説明する図であり、図１０は本発明のその他の実施の形態を説明する要部断面図である。
【００１８】
まず、本発明の１実施の形態のスイッチ装置を図１〜図４に基づいて説明すると、図１に示す最下部には、樹脂材料等からなるケース１が配設されている。
このケース１の内部には、上方が開放された第１収納部１ａと、この第１収納部１ａのＹ方向における手前側に一対のガイド壁１ｂ、１ｂに挟まれて第２収納部１ｃとが形成されている。
また、ケース１には、第１収納部１ａのＸ方向における右側にレバー支持部１ｄが形成され、このレバー支持部１ｄの面取り部１ｅに、後述するレバー部材７の摺接面７ｂが位置して摺動可能になっている。
前記レバー支持部１ｄは、互いに対向する側面１ｆ、１ｆに挟まれて形成されている。
【００１９】
また、それぞれの側面１ｆ、１ｆには、後述するレバー部材７の軸部８を回動可能に支持可能な所定の幅寸法のレバー支持溝１ｇ、１ｇが形成されている。
また、ケース１の底壁１ｈ上には、弾性を有する金属板をクリップ状に折り曲げ形成した固定接点２が配設され、この固定接点２は、互いに弾接するクリップ状の固定接点部２ａ、２ａと、折り曲げ基部２ｂとが形成され、この折り曲げ基部２ｂ側の接続基部（図示せず）が底壁１ｈにインサート成形等で埋設され、ケース１の外側に引き出しされて第１端子部２ｃが形成されている。
【００２０】
また、第２収納部１ｃのＸ方向における左側が、金属板からなる共通接点３で遮蔽されている。前記共通接点３は、接続基部（図示せず）が、底壁１ｈにインサート成形等で埋設され、ケース１の外側に引き出しされて第２端子部３ａが形成されている。
また、ケース１のＸ方向における左側と右側の外側面には、それぞれスナップ係止部１ｊが形成されて、後述するカバー９をスナップ係止可能になっている。
【００２１】
また、ケース１の第２収納部１ｃには、導電性を有するピアノ線等からなるコイルバネ４が収納可能になっている。前記コイルバネ４は、一端部４ａと他端部４ｂとを有し、第２収納部１ｃに収納したコイルバネ４は、他端部４ｂが共通接点３に弾接している。
また、第２収納部１ｃを形成する一対のガイド壁１ｂ、１ｂ上には、樹脂材料からなるスライダー５が配設されて、矢印Ｘ方向の左右にスライド可能になっている。前記スライダー５は、一対のガイド壁１ｂ、１ｂにガイド壁１ｂされてスライド可能な一対のスライド壁５ａ、５ａと、このスライド壁５ａ、５ａをつなぐ天井壁５ｂとによって略コ字状に形成されている。
また、スライダー５には、天井壁５ｂの略中央部に矩形状の貫通孔５ｃが形成されている。
【００２２】
また、スライダー５には、可動接点６の一部がインサート成形等で埋設保持され、固定接点２の固定接点部２ａ、２ａ間に挟持されて接離する一端部側に可動接点部６ａが矢印Ｙの奥側に露出して形成されている。
また、スライダー５には、コイルバネ４の一端部４ａが弾接して電気的的に接続する他端部である可動端子部６ｂが、貫通孔５ｃ内に露出して形成されている。
前記可動接点部６ａと可動端子部６ｂとは、それぞれスライダー５から外側に延出してＬ字状に下方に折り曲げ形成されている。
【００２３】
また、スライダー５には、矢印Ｘの右側に平坦状のスライド操作面５ｄが突出形成され、このスライド操作面５ｄを後述するレバー部材７のスライダー押圧部７ｄが押圧することで、スライダー５は、コイルバネ４の付勢力に抗して矢印Ｘの左方向である他方側にスライド操作可能になっている。
前記可動接点６を一体化したスライダー５は、コイルバネ４を収納した状態のケース１の第２収納部１ｃ上に載置すると、スライド壁５ａ、５ａがガイド壁１ｂ、１ｂを挟み込んでガイドされると共に、可動接点６の可動端子部６ｂに、コイルバネ４の一端部４ａ側が弾接する。
このことで、共通接点３と可動接点６とが、導電性を有するコイルバネ４を介して電気的に接続される。
【００２４】
また、ケース１のレバー支持部１ｄには、レバー部材７が支持可能になっており、このレバー部材７は、樹脂材料等からなり、図５、図６に示すように、下部側に略扇状の回動基部７ａが形成され、この回動基部７ａには、回動中心Ａから半径Ｒの円弧状の摺動面７ｂが形成されている。
前記回動基部７ａには、回動中心Ａから図示左側に寸法Ｂの位置に、図示垂直状のスライダー弾接面７ｃが形成され、このスライダー弾接面７ｃの下部には、半径Ｒの摺動面７ｂより外側に突出するスライダー押圧部７ｄが形成されている。
【００２５】
また、レバー部材７には、スライダー弾接面７ｃの矢印Ｙの奥側に、図６に示すように、水平方向に対して所定角度である角度αで傾斜するストッパー面７ｅが形成され、レバー部材７が角度α回動操作されると、ストッパー面７ｅが後述するカバー部材８に当接するようになっている。
また、レバー部材７には、回動基部７ａから右斜め上方に操作部７ｆが所定長さで延出形成されている。
【００２６】
また、回動基部７ａの回動中心Ａからは、矢印Ｙの前後方向に一対の軸部８、８が突出形成され、この軸部８がケース１のレバー支持溝１ｆに回動可能に勘合されるようになっている。
前記軸部８には、図６に示すように、スライダー弾接面７ｃと同一面の平坦面８ａが、回動中心Ａから寸法Ｂの位置に形成され、回動中心Ａから図示右側の寸法Ｃの位置に、偏心カム状の回動面８ｂとが形成されている。
このように、軸部８の回動中心Ａをスライダー弾接面７ｃ側に寸法Ｂ偏心させて寸法Ｃを寸法Ｂより大きくすることで、軸部８の断面積を大きくして軸部８の強度が補強されている。
【００２７】
また、軸部８には、平坦面８ａからスライダー弾接面７ｃに対して角度αで図示右下方に傾斜して補強部８ｃが形成され、軸部８の断面形状が略水滴状の異形状となっている。そのために、軸部８の断面積を更に大きくすることができ、軸部８の強度を更にに向上することができる。
そして、レバー部材７の軸部８は、寸法Ｂと寸法Ｃとを合計した幅寸法が寸法Ｄとなっており、ケース１のレバー支持溝１ｇに嵌合させた軸部８は、少なくとも角度α回動可能になっている。
【００２８】
前記ケース１のレバー支持溝１ｆに軸部８を嵌合させたレバー部材７は、図４に示すように、コイルバネ４によってスライダー５のスライド操作面５ｄが、スライダー弾接面７ｃに弾接して、操作部７ｆを操作する前の初期状態において、スライダー弾接面７ｃおよび平坦面８ａが垂直状になっていると共に、操作部７ｆが右斜めに所定角度で傾斜した状態になっている。
【００２９】
また、ケース１上には、金属板等からなるカバー９が配設されて、第１、第２収納部１ａ、１ｃ上を遮蔽可能になっている。
前記カバー９は、平坦状の遮蔽部９ａが形成され、この遮蔽部９ａの矢印Ｘの左側と右側にそれぞれ掛け止め部９ｂ、９ｃが形成されている。
そして、図２に示すように、カバー部材９の掛け止め部９ｂ、９ｃをケース１のスナップ係止部１ｊにスナップ係止することで、ケース１内部にスライダー５がガタなく矢印Ｘ方向にスライド移動可能に保持されるようになっている。
【００３０】
このような構成の本発明のスイッチ装置の操作は、図７〜図９に示すように、初期状態にあるレバー部材７の操作部７ｆを矢印Ｅ方向に回動操作すると、レバー部材７は、軸部８を支点として図示時計回り方向に回動する。この時のレバー部材７は、回動基部７ａの摺動面７ｂがケース１のレバー支持部１ｄに形成した面取り部１ｅ上を摺動しながら回動する。
そして、操作部７ｆが図９に示すように略水平状となり、ストパー面７ｅがカバー部材９に当接して、レバー部材７の回動が停止する。この時のレバー部材７の回転角度は、所定角度範囲である図６に示す角度αとなるようになっている。
【００３１】
前記レバー部材７が矢印Ｅ方向に回動することで、回動基部７ａのスライダー弾接面７ｃに弾接していたスライライダー５のスライド操作面５ｄが、スライダー押圧部７ｄに押圧されて、スライダー５は、矢印Ｆ方向の他方側にスライド移動する。この時のスライダー５は、図８の２点鎖線で示すように、スライダー５の移動量が寸法Ｇとなり、回動中心Ａから水平方向に延びる仮想線１０から、回動基部７ａのスライダー押圧部７ｄまでの角度がβとなるようになる。
【００３２】
前記仮想線１０から回動基部７ａのスライダー押圧部７ｄまでの角度がβの時に、レバー部材７に加えていた矢印Ｅ方向の荷重を解除すると、コイルバネ４の弾性力で、スライダー５のスライド操作面５ｄが回動基部７ａのスライダー押圧部７ｄが矢印Ｆと反対方向の一方側に押圧される。
このことにより、図９に示すレバー部材７が、図８に示す初期状態の自動復帰するようになっている。
【００３３】
前記スライダー５が矢印Ｆの他方側にスライド移動に伴って、移動する可動接点６の可動接点部６ａが、固定接点２の固定接点部２ａに接触して、可動接点６と固定接点２とが電気的に導通する。
即ち、固定接点２と共通接点３とは、導電性のコイルバネ４および可動接点６を介して電気的に導通して、固定接点２と共通接点３との間のスイッチ回路が切り換わる。
【００３４】
また、本発明の第２の実施の形態は、図１０に示すように、レバー部材１７の操作部１７ｆが略水平状態を初期状態とし、矢印Ｈの上方にレバー部材を回動させることで、固定接点２と共通接点３との間のスイッチ回路を切り換えるようになっている。この時の回動基部１７ａは、軸部１８が下方側に、スライド押圧部７ｄが上方側に位置している。
即ち、第２の実施の形態は、第１の実施の形態とは、レバー部材１７の回動方向が逆の逆操作タイプとなっているものである。
【００３５】
このような第２の実施の形態の逆操作タイプのスイッチ装置は、レバー部材１７のみが第１の実施の形態と異なり、その他の部材は、全て第１の実施形態と同じものを使うことができる。
【図面の簡単な説明】
【００３６】
【図１】本発明の第１の実施の形態のスイッチ装置の分解斜視図である
【図２】本発明の第１の実施の形態のスイッチ装置の斜視図である。
【図３】図２からカバーを取り去ったスイッチ装置の斜視図である。
【図４】本発明のスイッチ装置の要部断面図である。
【図５】本発明に係わるレバー部材の斜視図である。
【図６】図５に示すレバー部材の側面図である。
【図７】本発明に係わるレバー部材の操作を説明する図である。
【図８】本発明に係わるレバー部材の操作を説明する図である。
【図９】本発明に係わるレバー部材の操作を説明する図である。
【図１０】本発明の第２の実施の形態を説明する要部断面図である。
【図１１】従来のスイッチ装置の平面断面図である。
【図１２】図１１の側面断面図である。
【図１３】従来のスイッチ装置の操作を説明する平面断面図である。
【符号の説明】
【００３７】
１  ケース
１ａ  第１収納部
１ｂ  ガイド壁
１ｃ  第２収納部
１ｄ  レバー支持部
１ｅ  面取り部
１ｇ  レバー支持溝
１ｈ  底壁
２  固定接点
２ａ  固定接点部
２ｂ  折り曲げ基部
３  共通接点
４  コイルバネ
５  スライダー
５ａ  スライド壁
５ｂ  天井壁
５ｃ  貫通孔
５ｄ  スライド操作面
６  可動接点
６ａ  可動接点部
６ｂ  可動端子部
７  レバー部材
７ａ  回動基部
７ｂ  摺動面
７ｃ  スライダー弾接面
７ｄ  スライダー押圧面
７ｅ  ストッパー面
７ｆ  操作部  
８  軸部
８ａ  平坦面
８ｂ  回動面
８ｃ  補強部
９  カバー部材
【図１】
2006318749.tif 000003
【図２】
2006318749.tif 000004
【図３】
2006318749.tif 000005
【図４】
2006318749.tif 000006
【図５】
2006318749.tif 000007
【図６】
2006318749.tif 000008
【図７】
2006318749.tif 000009
【図８】
2006318749.tif 000010
【図９】
2006318749.tif 000011
【図１０】
2006318749.tif 000012
【図１１】
2006318749.tif 000013
【図１２】
2006318749.tif 000014
【図１３】
2006318749.tif 000015